(57)【要約】本発明はスキンケア器具に関する。本発明のスキンケア器具は、装置本体と、装置本体内に取替可能に設けられて、その内部にスキンケア剤を収納した容器と、装置本体の一端に設けられたヘッド部と、ヘッド部内に設けられて、スキンケア剤を噴出する少なくとも１つの噴出孔が板面に形成された薬剤噴出部材と、容器と薬剤噴出部材の噴出孔を連結する連結管と、噴出孔を通じて噴出されるスキンケア剤を外部に噴出させ、ヘッド部に着脱可能に結合されるブラッシュ部材と、ブラッシュ部材を選択的に振動させる振動部材と、振動部材の動作及び薬剤噴出部材の噴出孔を選択的に開閉するスイッチング部とを含む。これによって簡単な構造を有し、携帯が簡便で、かつ何時何処でも利用でき、スキンケア効率が上げられる。
2008531083.tif 000002
【特許請求の範囲】
【請求項１】
装置本体と、
前記装置本体内に取替可能に設けられて、その内部にスキンケア剤を収納した容器と、
前記装置本体の一端に設けられたヘッド部と、
前記ヘッド部内に設けられて、前記スキンケア剤を噴出する少なくとも１つの噴出孔が板面に形成された薬剤噴出部材と、
前記容器と前記薬剤噴出部材の噴出孔を連結する連結管と、
前記噴出孔を通じて噴出される前記スキンケア剤を外部に噴出させ、前記ヘッド部に着脱可能に結合されるブラッシュ部材と、
前記ブラッシュ部材を選択的に振動させる振動部材と、
前記振動部材の動作及び前記薬剤噴出部材の噴出孔を選択的に開閉するスイッチング部と、
を含むことを特徴とするスキンケア器具。
【請求項２】
前記装置本体には前記容器の取替のための容器取替部が着脱可能に結合されていることを特徴とする請求項１記載のスキンケア器具。
【請求項３】
前記ブラッシュ部材は、板状の胴体部と、前記胴体部の板面に設けられて、柔軟な材質で形成されて、皮膚に弾力的に接触する複数の接触突起部を含むことを特徴とする請求項１記載のスキンケア器具。
【請求項４】
前記振動部材及び前記ブラッシュ部材は前記ヘッド部に着脱可能に結合されることを特徴とする請求項１記載のスキンケア器具。
【請求項５】
内部にスキンケア剤を収納する装置本体と、
前記装置本体の一端に着脱可能に結合されるヘッド部と、
前記ヘッド部内に設けられて、前記スキンケア剤を噴出する少なくとも１つの噴出孔が板面に形成された薬剤噴出部材と、
前記装置本体内のスキンケア剤を前記噴出孔に送る連結管と、
前記連結管の一端に設けられて、前記装置本体内のスキンケア剤を選択的に汲み出すポンプ部と、
前記ヘッド部に着脱可能に結合され、前記噴出孔から前記スキンケア剤を外部に噴出させるブラッシュ部材と、
前記ブラッシュ部材を選択的に振動させる振動部材と、
前記振動部材及び前記ポンプ部を選択的に動作させるスイッチング部と、
を含むことを特徴とするスキンケア器具。
【発明の詳細な説明】
【技術分野】
【０００１】
本発明はスキンケア器具に関し、より詳しくは、簡単な構造を有し、携帯が簡便で、かつ何時何処でも利用でき、スキンケア効率を上げられるスキンケア器具に関する。
【背景技術】
【０００２】
最近は生活水準が向上し女性の社会的進出が活発になっているため、皮膚に発生した角質、しみ、にきびを除き、皮膚の垂れを除去して皮膚のしわをなくし、美白効果が得られるように女性は頻繁にスキンケアを受けている。このためこれを業にするスキンケアショップが急速に増えている。これはもはやスキンケアが奢侈や贅沢ではないことを意味する。
【０００３】
さらに特別のショウビジネスに従事しない普通の人も、老若男女に問わず、若くて白い弾力ある皮膚を維持して、独特の個性を演出したり、他人に対して自信ある態度を得るために多様なスキンケアを試みている。
【０００４】
しかしながらスキンケアショップでスキンケアのために使用している装置はほとんど医療用である。従来のスキンケア装置の使用法は以下のとおりである。
【０００５】
パッドの一面に所定のスキンケア剤を塗る。ケアしようとする皮膚の領域の上にパッドを置き、スキンケア剤が皮膚に浸透するようにパッドに低周波や高周波あるいは交流を印加する。
【０００６】
したがって従来のスキンケア装置には一般電源を低周波、高周波あるいは交流に変えるためのコンバータなどの部品を必要とするので、装置が巨大になり装置の製造費用が高くなる。そのため普通の人達はこれの購入が困難である。さらに従来のスキンケア装置は巨大であるため何時何処でも利用することはできない。
【０００７】
ここに本出願人は簡単な構造を有し、携帯が簡便で、かつ何時何処でも利用でき、スキンケア効率を上げられるようにしたスキンケア器具を開発するに至った。
【発明の開示】
【発明が解決しようとする課題】
【０００８】
上記の問題点を考慮し、本発明の目的は、簡単な構造を有し、携帯が簡便で、かつ何時何処でも利用できるだけでなく、スキンケア効率を上げられるようにしたスキンケア器具を提供することにある。
【課題を解決するための手段】
【０００９】
上記目的は、装置本体と、装置本体内に取替可能に設けられて、その内部にスキンケア剤を収納した容器と、装置本体の一端に設けられたヘッド部と、ヘッド部内に設けられて、スキンケア剤を噴出する少なくとも１つの噴出孔が板面に形成された薬剤噴出部材と、容器と薬剤噴出部材の噴出孔を連結する連結管と、噴出孔を通じて噴出されるスキンケア剤を外部に噴出させ、ヘッド部に着脱可能に結合されるブラッシュ部材と、ブラッシュ部材を選択的に振動させる振動部材と、振動部材の動作及び薬剤噴出部材の噴出孔を選択的に開閉するスイッチング部とを含むスキンケア器具により達成される。
【００１０】
ここで装置本体には容器の取替のための容器取替部が着脱可能に結合されている。
【００１１】
ブラッシュ部材は、板状の胴体部と、胴体部の板面に設けられて、柔軟な材質で形成されて、皮膚に弾力的に接触する複数の接触突起部を含む。
【００１２】
振動部材及びブラッシュ部材はヘッド部に着脱可能に結合される。
【００１３】
一方、上記の目的は、内部にスキンケア剤を収納する装置本体と、装置本体の一端に着脱可能に結合されるヘッド部と、ヘッド部内に設けられて、スキンケア剤を噴出する少なくとも１つの噴出孔が板面に形成された薬剤噴出部材と、装置本体内のスキンケア剤を噴出孔に送る連結管と、連結管の一端に設けられて、装置本体内のスキンケア剤を選択的に汲み出すポンプ部と、ヘッド部に着脱可能に結合され、噴出孔からスキンケア剤を外部に噴出させるブラッシュ部材と、ブラッシュ部材を選択的に振動させる振動部材と、振動部材及びポンプ部を選択的に動作させるスイッチング部とを含むスキンケア器具によっても達成できる。
【発明の効果】
【００１４】
本発明のスキンケア器具は簡単な構造を有し、携帯が簡便で、かつ何時何処でも利用できるだけでなく、スキンケア効率が上げられる効果がある。
【発明を実施するための最良の形態】
【００１５】
以下、添付図面を参照しつつ本発明の各実施形態に対して詳細に説明する。
【００１６】
図１は本発明の第１実施形態によるスキンケア器具の斜視図であり、図２及び図３は各々図１のスキンケア器具を異なる角度から見た分解斜視図であり、図４は図１のスキンケア器具の概略的な縦断面図である。
【００１７】
これら図面１〜４に図示されたように、本発明の第１実施形態によるスキンケア器具は、装置本体１０、装置本体１０の一端に結合されるヘッド部１２、及び装置本体１０の他端に着脱可能に結合される容器取替部１４を有する。
【００１８】
装置本体１０は、本スキンケア器具の枠組を形成する部分であって、図示したように中空管状体で形成される。しかしながら、これは１つの実施形態に過ぎないだけであり、四角柱や三角柱などの形状でもよい。このような装置本体１０には、図示してはいないが、滑り防止手段などを更に設けることができる。滑り防止手段はパッドや凹凸面で構成することができる。
【００１９】
装置本体１０の外面にはスイッチング部２０が設けられている。スイッチング部２０は後述する振動部材２３の動作を制御する振動ボタン２１と、容器１７内のスキンケア剤を選択的に噴出させる薬剤ボタン２２とがある。スイッチング部２０はバッテリ１５による電気的信号にて動作する。
【００２０】
容器取替部１４は装置本体１０の下端に着脱可能に結合される。したがって容器取替部１４を通じて装置本体１０内の容器１７を容易に新品に交換することができる。さらに本スキンケア器具を動作させる電源として利用されるバッテリ１５も容器取替部１４を通じて容易に新品に取替可能である。
【００２１】
装置本体１０内には容器取替部１４により容易に取替可能な容器１７が設けられている。容器１７には所定のスキンケア剤が入っている。スキンケア剤とは、ローションやスキンなどを含んで、栄養クリームなど、皮膚に直接塗布されてマッサージ効果や皮膚の角質除去などが可能な種類の薬剤を全て含む。
【００２２】
ヘッド部１２は装置本体１０の上端に設けられている。使いやすいように直線形態の装置本体１０に対してヘッド部１２は一定に折曲げられている。したがって装置本体１０を持ってヘッド部１２領域を皮膚、特に顔に当てることが容易である。
【００２３】
ヘッド部１２内には薬剤噴出部材１８が設けられている。薬剤噴出部材１８の板面には複数個の噴出孔１９が形成されているので、容器１７内のスキンケア剤は、噴出孔１９を通じてヘッド部１２の外側に噴出される。このため容器１７と薬剤噴出部材１８の噴出孔１９は別の連結管１６により連結されている。
【００２４】
スイッチング部２０中の薬剤ボタン２２を一方向に動作させれば、容器１７内のスキンケア剤は連結管１６を通じて薬剤噴出部材１８の噴出孔１９を通じて噴出でき、薬剤ボタン２２を他方向に動作させれば、スキンケア剤の噴出が止まる。このため通常のシャンプーやスプレー缶を容器１７に用いる。本出願人により予め出願されて登録された理美容装置の技術を用いても良い。
【００２５】
ヘッド部１２には後述するブラッシュ部材３０を選択的に振動させる振動部材２３が結合されている。振動部材２３はスイッチング部２０の振動ボタン２１により選択的に振動される振動板２４と、振動板２４に一体形成されてヘッド部１２の板面に形成されたスロット１３に挟まれる結合リブ２６とを含む。振動板２４の板面中央領域には噴出孔１９からブラッシュ部材３０にスキンケア剤を噴出される第１通孔２５が形成されている。参考に振動板２４はバッテリ１５の電気的信号により振動する。したがって振動板２４を振動させるための別の回路基板（ＰＣＢ）を設け、信号を増幅して高周波や超音波信号を出力する手段を回路基板（ＰＣＢ）に設けることができる。
【００２６】
ブラッシュ部材３０は板状の胴体部３１と、胴体部３１の板面に設けられ、柔軟な材質で形成されて皮膚に弾力的に接触する複数の接触突起部３４からなっている。ブラッシュ部材３０は振動板２４に着脱可能に結合されることによって、容易に汚れた接触突起部３４を洗浄し、また新品に交換することができる。
【００２７】
ブラッシュ部材３０を振動部材２３に結合させるための手段として、振動部材２３の胴体部３１にはフック部３５が設けられている。振動部材２３に一層容易に結合されるように、フック部３５の一定の部分を切取ることが好ましい。ブラッシュ部材３０にはスキンケア剤が最終的に通過する第２通孔３２が形成されている。
【００２８】
上記の本発明のスキンケア器具を使用する方法について次に説明する。
【００２９】
まず装置本体１０を把持した後、ブラッシュ部材３０の接触突起部３４を顔などの皮膚に接触させる。次にスイッチング部２０の薬剤ボタン２２を一方向に動作させる。すると容器１７内のスキンケア剤は連結管１６を通じて薬剤噴出部材１８の噴出孔１９を通じて噴出された後、振動部材２３の第１通孔２５及びブラッシュ部材３０の第２通孔３２を通じて皮膚に達する。
【００３０】
このような状態でスイッチング部２０の振動ボタン２１を動作させる。すると振動板２４が定位置で振動し、結合されたブラッシュ部材３０を振動させる。したがって皮膚に接触している接触突起部３４は皮膚にマッサージ効果を与え、噴出孔１９から噴出されるスキンケア剤は皮膚に吸収されてマッサージ効果を高める。使用が完了すればスイッチング部２０をオフにすればよい。
【００３１】
このように本発明のスキンケア器具によれば、簡単な構造を有し、携帯が簡便で、かつ何時何処でも利用でき、スキンケア効率を上げられる。
【００３２】
図５は本発明の第２実施形態によるスキンケア器具の側断面図であり、図６は図５の正面図である。
【００３３】
図５、図６を参照すると、本発明の第２実施形態によるスキンケア器具は第１実施形態とは異なり容器１７が設けられないで、装置本体１１０内にスキンケア剤が入っている。
【００３４】
装置本体１１０の一端にはフック１１１によりヘッド部１１２が着脱可能に結合されている。ヘッド部１１２の内部にはスキンケア剤を噴出する噴出孔１１９が形成された薬剤噴出部材１１８が装着されている。薬剤噴出部材１１８の噴出孔１１９とスキンケア剤の入った装置本体１１０は連結管１１６により連結されている。
【００３５】
連結管１１６の一端には装置本体１１０内のスキンケア剤を選択的に汲み出すポンプ部１１５が設けられている。ポンプ部１１５はスイッチング部１２０の薬剤ボタン１２２を動作させることによってスキンケア剤を汲み出す役割を果たし、本出願人により出願された理美容装置の一部をそのまま転用している。
【００３６】
ヘッド部１１２の一端には噴出孔１１９を通じて噴出されるスキンケア剤を外部に噴出させる柔軟材質のブラッシュ部材１３０が設けられている。ブラッシュ部材１３０は、前述した第１実施形態のものをそのまま使用してもよい。しかしブラッシュ部材１３０の代わりに櫛を使用してもよい。
【００３７】
薬剤噴出部材１１８の後方にはブラッシュ部材１３０を選択的に振動させる振動部材１２３が設けられている。振動部材１２３はスイッチング部１２０の振動ボタン１２１により選択的にオン／オフ（ON/OFF）する。
【産業上の利用可能性】
【００３８】
本発明のスキンケア器具は簡単な構造を有し、携帯が簡便で、かつ何時何処でも利用できるだけでなく、スキンケア効率が上げられる。
【００３９】
以上、図面を参照して本発明を詳細に説明したが、本発明はこれに限定されるのではない。
【図面の簡単な説明】
【００４０】
【図１】本発明の第１実施形態によるスキンケア器具の斜視図である。
【図２】図１のスキンケア器具をある角度から見た分解斜視図である。
【図３】図１のスキンケア器具を異なる角度から見た分解斜視図である。
【図４】図１のスキンケア器具の概略的な縦断面図である。
【図５】本発明の第２実施形態によるスキンケア器具の縦断面図である。
【図６】図５のスキンケア器具の正面図である。
【符号の説明】
【００４１】
１０  装置本体
１２  ヘッド部
１３  スロット
１４  容器取替部
１５  バッテリ
１６  連結管
１７  容器
１８  薬剤噴出部材
１９  噴出孔
２０  スイッチング部
２１  振動ボタン
２２  薬剤ボタン
２３  振動部材
２４  振動板
２５  通孔
２６  結合リブ
３０  ブラッシュ部材
３１  胴体部
３２  通孔
３４  接触突起部
３５  フック部
１１０  装置本体
１１１  フック
１１２  ヘッド部
１１５  ポンプ部
１１６  連結管
１１８  薬剤噴出部材
１１９  噴出孔
１２０  スイッチング部
１２１  振動ボタン
１２２  薬剤ボタン
１２３  振動部材
１３０  ブラッシュ部材
【図１】
2008531083.tif 000003
【図２】
2008531083.tif 000004
【図３】
2008531083.tif 000005
【図４】
2008531083.tif 000006
【図５】
2008531083.tif 000007
【図６】
2008531083.tif 000008
【国際調査報告】
2008531083.tif 000009
2008531083.tif 000010